(57)【要約】【課題】画像データから文字データを認識し、印刷する文字認識印刷システムにおいて、画像データから文字データを認識する際の認識率を向上させる。【解決手段】通信部３０により取得した印刷データの解釈を行い、印刷データにＥＰＧデータが含まれている場合にはＥＰＧ文字列取得部３２ａに対してＥＰＧ取得指示を行う印刷データ解釈部３１と、印刷データからＥＰＧデータを取得するＥＰＧ文字列取得部３２ａと、文字認識を行う画像データを印刷データ解釈部３１から取得する文字認識画像取得部３４と、ＥＰＧデータを文字認識用辞書として用い、画像データから文字データを認識する文字認識部３５と、認識後の文字列から最終印刷データの生成を行う最終印刷データ生成部３８と、最終印刷データから印刷イメージへ変換し印刷を行う印刷部３９とを備える。【選択図】図１
2007122559.tif 000002
【特許請求の範囲】
【請求項１】
画像データに関連する文字データを取得する文字取得部と、
前記文字取得部により取得した文字データを文字認識用辞書として用い、前記画像データから文字データを認識する文字認識部とを有することを特徴とする文字認識印刷システム。
【請求項２】
前記画像データに関連する文字データが、電子番組ガイドの文字データまたは前記画像データとともに提供される文字データであることを特徴とする請求項１記載の文字認識印刷システム。
【請求項３】
画像データに関連する文字データを取得する文字取得部と、
前記文字取得部により取得した文字データを文字認識用辞書として用い、前記画像データから文字データを認識する文字認識部とを有することを特徴とする印刷装置。
【請求項４】
前記文字データを通信回線に接続された画像再生装置より取得することを特徴とする請求項３記載の印刷装置。
【請求項５】
前記文字認識部により認識した文字データに誤りがないかどうかを確認し、文字認識を確定させる文字認識確認部を備えたことを特徴とする請求項３または４に記載の印刷装置。
【請求項６】
前記文字認識部により認識した複数の候補文字データの表示よび入力を行う候補文字表示入力部を備えたことを特徴とする請求項３から５のいずれかに記載の印刷装置。
【請求項７】
前記文字認識部により文字データの認識を行う前に予め文字認識する領域と画像のまま確定する領域とを切り分ける文字画像確定部を備えたことを特徴とする請求項３から６のいずれかに記載の印刷装置。
【請求項８】
画像データに関連する文字データを取得する文字取得ステップと、
前記文字取得ステップにより取得した文字データを文字認識用辞書として用い、前記画像データから文字データを認識する文字認識ステップとを含むことを特徴とする印刷方法。
【請求項９】
画像データに関連する文字データを取得する文字取得ステップと、
前記文字取得ステップにより取得した文字データを文字認識用辞書として用い、前記画像データから文字データを認識する文字認識ステップとをコンピュータに実行させることを特徴とするための印刷プログラム。
【請求項１０】
画像データに関連する文字データを取得する文字取得部と、
前記文字取得部により取得した文字データを文字認識用辞書として用い、前記画像データから文字データを認識する文字認識部と、
前記文字認識部により認識した文字データを印刷装置へ出力する出力部とを有することを特徴とするテレビジョン装置。
【請求項１１】
前記文字データを一時保存し、前記印刷装置への出力を制御する一時保存部を備えたことを特徴とする請求項１０記載のテレビジョン装置。
【請求項１２】
前記文字データを通信回線に接続された画像再生装置より取得することを特徴とする請求項１０または１１に記載のテレビジョン装置。
【請求項１３】
前記文字認識部により認識した文字データに誤りがないかどうかを確認し、文字認識を確定させる文字認識確認部を備えたことを特徴とする請求項１０から１２のいずれかに記載のテレビジョン装置。
【請求項１４】
前記文字認識部により認識した複数の候補文字データの表示および入力を行う候補文字表示入力部を備えたことを特徴とする請求項１０から１３のいずれかに記載のテレビジョン装置。
【請求項１５】
前記文字認識部により文字データの認識を行う前に予め文字認識する領域と画像のまま確定する領域とを切り分ける文字画像確定部を備えたことを特徴とする請求項１０から１４のいずれかに記載のテレビジョン装置。
【請求項１６】
画像データに関連する文字データを取得する文字取得部と、
前記文字取得部により取得した文字データを文字認識用辞書として用い、前記画像データから文字データを認識する文字認識部と前記文字認識部により認識した文字データを印刷装置へ出力する出力部とを有することを特徴とする画像再生装置。
【請求項１７】
前記文字データを一時保存し、前記印刷装置への出力を制御する一時保存部を備えたことを特徴とする請求項１６記載の画像再生装置。
【請求項１８】
前記文字認識部により認識した文字データに誤りがないかどうかを確認し、文字認識を確定させる文字認識確認部を備えた請求項１６または１７に記載の画像再生装置。
【請求項１９】
前記文字認識部により認識した複数の候補文字データの表示および入力を行う候補文字表示入力部を備えたことを特徴とする請求項１６から１８のいずれかに記載の画像再生装置。
【請求項２０】
前記文字認識部により文字データの認識を行う前に予め文字認識する領域と画像のまま確定する領域とを切り分ける文字画像確定部を備えたことを特徴とする請求項１６から１９のいずれかに記載の画像再生装置。
【発明の詳細な説明】
【技術分野】
【０００１】
本発明は、放送局から無線や有線等により提供される画像データを再生するテレビジョン装置や、画像データが記録された記録媒体から画像データを読み出して再生する画像再生装置等において、画像データから文字データを認識し、印刷する文字認識印刷システムおよびこれに用いられる印刷装置、印刷方法、印刷プログラム、テレビジョン装置および画像再生装置に関する。
【背景技術】
【０００２】
ドラマや映画等の放送物（画像データ）をＤＶＤ（Ｄｉｇｉｔａｌ  Ｖｅｒｓａｔｉｌｅ  Ｄｉｓｋ）等の記録媒体に録画した際、その記録媒体の中身が分かるようにレーベルを作成することがある。このレーベルの作成にパーソナルコンピュータ（以下、「ＰＣ」と称す。）を使用する場合、スキャナでドラマや映画等のタイトルを含んだ画像を読み込み、タイトル部分およびサブタイトルの部分を切り貼りして作成するか、あるいはキーボードで文字を入力して作成する。ところが、キーボードを持たないＤＶＤ機器等では、リモートコントローラやソフトウェアキーボードにより文字を入力する必要があるため、文字入力が非常に煩雑である。
【０００３】
なお、ＰＣを使用しない環境で文字情報の入力を簡略化する技術として、例えば（特許文献１）が知られている。（特許文献１）には、入力された画像信号から、文字認識によって文字列“ｈｔｔｐ：／／”のキーワードを検出し、その後に続くネットワークアドレス情報を抽出することが記載されている。この技術では、文字認識の対象がネットワークアドレス情報に限られているので、文字認識を正確に行うことが可能であると思われる。
【特許文献１】特開平１０−１４５６８７号公報（段落００１０）
【発明の開示】
【発明が解決しようとする課題】
【０００４】
ところが、ドラマや画像等のタイトルには、漢字、ひらがなやカタカナ等の多様な文字が組み合わされた文字列であり、また表現されるフォントも多様である。そのため、このようなタイトルを画像データから認識する場合、ネットワークアドレス情報のようにアルファベットおよび数字の組み合わせを認識するよりも認識率はかなり低くなってしまう。そのため、修正作業が発生し、文字入力の簡略化を図ることができない。
【０００５】
そこで、本発明においては、画像データから文字データを認識する際の認識率を向上させた文字認識印刷システムおよびこれに用いられる印刷装置、印刷方法、印刷プログラム、テレビジョン装置および画像再生装置を提供することを目的とする。
【課題を解決するための手段】
【０００６】
上記課題を解決するため本発明は、画像データに関連する文字データを取得する文字取得部と、文字取得部により取得した文字データを文字認識用辞書として用い、画像データから文字データを認識する文字認識部とを有することを特徴とする。
【発明の効果】
【０００７】
本発明によれば、画像データから文字データを認識する際、画像データに関連する文字データを取得し、この取得した文字データを文字認識用辞書とすることにより、文字の認識率を向上し、ＰＣを使用しない環境で文字情報の入力を簡略化した文字認識印刷システムおよびこれに用いられる印刷装置、テレビジョン装置および画像再生装置が得られる。
【発明を実施するための最良の形態】
【０００８】
本願の請求項１の発明は、画像データに関連する文字データを取得する文字取得部と、文字取得部により取得した文字データを文字認識用辞書として用い、画像データから文字データを認識する文字認識部とを有する文字認識印刷システムである。この発明によれば、画像データから文字データを認識する際、画像データに関連する文字データが取得され、この取得された文字データが文字認識用辞書とされるので、文字の認識率が向上する。これにより、文字入力の簡略化が図ることが可能となる。
【０００９】
本願の請求項２の発明は、画像データに関連する文字データが、電子番組ガイドの文字データまたは画像データとともに提供される文字データであることを特徴とする文字認識印刷システムである。この発明によれば、電子番組ガイドの文字データまたは画像データとともに提供される文字データが文字認識用辞書として用いられ、画像データから文字データが認識されるので、文字の認識率が向上する。これにより、文字入力の簡略化を図ることが可能となる。
【００１０】
本願の請求項３の発明は、画像データに関連する文字データを取得する文字取得部と、文字取得部により取得した文字データを文字認識用辞書として用い、画像データから文字データを認識する文字認識部とを有する印刷装置である。この発明によれば、画像データに基づいて文字データの印刷が指示されると、印刷装置により画像データに関連する文字データが取得され、この取得された文字データが文字認識用辞書として用いられ、画像データから文字データが高い認識率で認識され、文字データが印刷される。
【００１１】
本願の請求項４の発明は、文字データを通信回線に接続された画像再生装置より取得することを特徴とする印刷装置である。この発明によれば、画像データに基づいて文字データの印刷が指示されると、画像データに関連する文字データが通信回線により接続された画像再生装置から取得され、この取得された文字データが文字認識用辞書とされ、画像データから文字データが高い認識率で認識され、文字データが印刷される。
【００１２】
本願の請求項５の発明は、文字認識部により認識した文字データに誤りがないかどうかを確認し、文字認識を確定させる文字認識確認部を備えた印刷装置である。この発明によれば、画像データから文字データが認識された結果を利用者が確認し、結果を確定させた後、文字データが印刷される。
【００１３】
本願の請求項６の発明は、文字認識部により認識した複数の候補文字データの表示および入力を行う候補文字表示入力部を備えた印刷装置である。この発明によれば、画像データから文字データが認識された結果を利用者が確認し、認識結果がおかしい場合、修正することができる。これにより、より正確な文字データが印刷される。
【００１４】
本願の請求項７の発明は、文字認識部により文字データの認識を行う前に予め文字認識する領域と画像のまま確定する領域とを切り分ける文字画像確定部を備えた印刷装置である。この発明によれば、回転等の文字修飾が施されており、標準文字に置き換えるよりも画像データのままの方が見栄えがよいような場合に、予め文字認識せずに画像のまま確定する領域に設定することにより、画像データと文字データとが混在した見栄えのよい印刷結果を得ることができる。
【００１５】
本願の請求項８の発明は、画像データに関連する文字データを取得する文字取得ステップと、文字取得部により取得した文字データを文字認識用辞書として用い、画像データから文字データを認識する文字認識ステップとを含む印刷方法である。この発明によれば、画像データに基づいて文字データの印刷が指示されると、印刷装置により画像データに関連する文字データが取得され、この取得された文字データが文字認識用辞書として用いられ、画像データから文字データが高い認識率で認識され、文字データが印刷される。
【００１６】
本願の請求項９の発明は、画像データに関連する文字データを取得する文字取得ステップと、文字取得ステップにより取得した文字データを文字認識用辞書として用い、画像データから文字データを認識する文字認識ステップとをコンピュータに実行させるための印刷プログラムである。この発明によれば、画像データに基づいて文字データの印刷が指示されると、印刷装置により画像データに関連する文字データが取得され、この取得された文字データが文字認識用辞書として用いられ、画像データから文字データが高い認識率で認識され、文字データが印刷される。
【００１７】
本願の請求項１０の発明は、画像データに関連する文字データを取得する文字取得部と、文字取得部により取得した文字データを文字認識用辞書として用い、画像データから文字データを認識する文字認識部と文字認識部により認識した文字データを印刷装置へ出力する出力部とを有するテレビジョン装置である。この発明によれば、テレビジョン装置により画像データに関連する文字データが取得され、この取得された文字データが文字認識用辞書として用いられ、画像データから文字データが高い認識率で認識され、印刷装置へ出力される。
【００１８】
本願の請求項１１の発明は、文字データを一時保存し、印刷装置への出力を制御する一時保存部を備えたテレビジョン装置である。この発明によれば、テレビジョン装置により画像データに関連する文字データが取得され、この取得された文字データが文字認識用辞書として用いられ、画像データから文字データが高い認識率で認識され、印刷装置へ出力される際に、データが一時保存されることにより、印刷装置の準備が整った際等に出力時期を制御することが可能となる。
【００１９】
本願の請求項１２の発明は、文字データを通信回線に接続された画像再生装置より取得することを特徴とするテレビジョン装置である。この発明によれば、画像データに関連する文字データが通信回線により接続された画像再生装置から取得され、この取得された文字データが文字認識用辞書として用いられ、画像データから文字データが高い認識率で認識され、文字データが印刷される。
【００２０】
本願の請求項１３の発明は、文字認識部により認識した文字データに誤りがないかどうかを確認し、文字認識を確定させる文字認識確認部を備えたテレビジョン装置である。この発明によれば、画像データから文字データが認識された結果を利用者が確認し、結果を確定させた後、文字データが印刷される。
【００２１】
本願の請求項１４の発明は、文字認識部により認識した複数の候補文字データの表示および入力を行う候補文字表示入力部を備えたテレビジョン装置である。この発明によれば、画像データから文字データが認識された結果を利用者が確認し、認識結果がおかしい場合、修正することができる。これにより、より正確な文字データが印刷される。
【００２２】
本願の請求項１５の発明は、文字認識部により文字データの認識を行う前に予め文字認識する領域と画像のまま確定する領域とを切り分ける文字画像確定部を備えたテレビジョン装置である。この発明によれば、回転等の文字修飾が施されており、標準文字に置き換えるよりも画像データのままの方が見栄えがよいような場合に、予め文字認識せずに画像のまま確定する領域に設定することにより、画像データと文字データとが混在した見栄えのよい印刷結果を得ることができる。
【００２３】
本願の請求項１６の発明は、画像データに関連する文字データを取得する文字取得部と、文字取得部により取得した文字データを文字認識用辞書として用い、画像データから文字データを認識する文字認識部と文字認識部により認識した文字データを印刷装置へ出力する出力部とを有する画像再生装置である。この発明によれば、画像再生装置により画像データに関連する文字データが取得され、この取得された文字データが文字認識用辞書として用いられ、画像データから文字データが高い認識率で認識され、印刷装置へ出力される。
【００２４】
本願の請求項１７の発明は、文字データを一時保存し、印刷装置への出力を制御する一時保存部を備えた画像再生装置である。この発明によれば、画像再生装置により画像データに関連する文字データが取得され、この取得された文字データが文字認識用辞書として用いられ、画像データから文字データが高い認識率で認識され、印刷装置へ出力される際に、データが一時保存されることにより印刷装置の準備が整った際等に出力時期を制御することが可能となる。
【００２５】
本願の請求項１８の発明は、文字認識部により認識した文字データに誤りがないかどうかを確認し、文字認識を確定させる文字認識確認部を備えた画像再生装置である。この発明によれば、画像データから文字データが認識された結果を利用者が確認し、結果を確定させた後、文字データが印刷される。
【００２６】
本願の請求項１９の発明は、文字認識部により認識した複数の候補文字データの表示および入力を行う候補文字表示入力部を備えた画像再生装置である。この発明によれば、画像データから文字データが認識された結果を利用者が確認し、認識結果がおかしい場合、修正することができる。これにより、より正確な文字データが印刷される。
【００２７】
本願の請求項２０の発明は、文字認識部により文字データの認識を行う前に予め文字認識する領域と画像のまま確定する領域とを切り分ける文字画像確定部を備えた画像再生装置である。この発明によれば、回転等の文字修飾が施されており、標準文字に置き換えるよりも画像データのままの方が見栄えがよいような場合に、予め文字認識せずに画像のまま確定する領域に設定することにより、画像データと文字データが混在した見栄えのよい印刷結果を得ることができる。
【００２８】
以下、本発明の実施の形態について図面を参照して説明する。
【００２９】
（実施の形態１）
図１は本発明の実施の形態１における文字認識印刷システムの構成を示すブロック図である。
【００３０】
図１において、本実施の形態１における文字認識印刷システムは、放送局から無線や有線等により提供される画像データを再生するテレビジョン装置（以下、「テレビ」と称す。）１と、画像データを記録媒体へ記録するとともにこの記録媒体から画像データを読み出して再生する画像記録再生装置としてのＤＶＤレコーダ２と、印刷装置としてのプリンタ３とから構成される。ＤＶＤレコーダ２とプリンタ３とはローカルエリアネットワーク（ＬＡＮ）やユニバーサルシリアルバス（ＵＳＢ）等の通信回線４により接続されている。リモートコントローラ（以下、「リモコン」と称す。）５は、ＤＶＤレコーダ２を遠隔操作するための装置である。リモコン５では、画像キャプチャ指示、画像の領域選択や印刷指示等を行う。
【００３１】
ＤＶＤレコーダ２は、リモコン受信部２０と、画像操作部２１と、画像取得部２２と、ハードディスクドライブ（以下、「ＨＤＤ」と称す。）２４と、ＤＶＤドライブ２５と、印刷指示部２６と、印刷データ生成部２７と、ＥＰＧデータ取得部２８と、通信部２９とを有する。
【００３２】
リモコン受信部２０は、リモコン５からの信号を受信し、各操作内容の実行指令を行うものである。画像操作部２１は、文字認識領域の選択、画像として文字認識を行わない領域の指定、ＨＤＤ２４やＤＶＤドライブ２５からの画像取得要求を行うものである。画像取得部２２は、ＨＤＤ２４やＤＶＤドライブ２５から画像データを取得するものである。画像出力部２３は、テレビ１等に画像信号を出力するものである。ＨＤＤ２４は、ハードディスクに対して画像データの記録または再生を行うものである。ＤＶＤドライブ２５は、ＤＶＤ−Ｒ、ＤＶＤ−ＲＷやブルーレイディスクに対して画像データの記録または再生を行うものである。なお、ＤＶＤレコーダ２は、画像データの記録機能を有さないＤＶＤプレーヤ等の画像再生装置としても良い。
【００３３】
印刷指示部２６は、画像データを取得し、印刷データ生成部２７に対して印刷データの生成指示を行うものである。印刷データ生成部２７は、画像データから印刷データを生成するものである。ここで、印刷データ生成部２７により生成される印刷データは、例えば図１０、図１１に示すＸＨＴＭＬ−Ｐｒｉｎｔ形式のデータや図１２に示すデータ形式である。図１０は、印刷データ形式の一例としてＸＨＴＭＬ−Ｐｒｉｎｔ形式で記述された印刷データを示す図を示している。図１１は、印刷データ形式の一例を示すとしてＸＨＴＭＬ−Ｐｒｉｎｔ形式で記述された印刷データにＥＰＧデータの番組ＩＤが記述された例を示している。図１２は、印刷データ形式の一例を示している。なお、印刷データ生成部２７は、ＥＰＧデータ取得部２８により取得したＥＰＧデータをこの印刷データに付加する。
【００３４】
ＥＰＧデータ取得部２８は、放送局から無線や有線等により提供される画像データに関連する文字データとしての電子番組ガイド（ＥＰＧ）のデータを取得するものである。図２はＥＰＧデータの例を示す図を示している。図２に示すように、ＥＰＧデータには、各コンテンツに対して付与された番組ＩＤ、各コンテンツの放送時間、タイトル、出演者、チャンネル等の情報が含まれている。ＥＰＧデータは、電波の隙間を使って提供されるか、通信回線により提供される。
【００３５】
通信部２９は、通信回線４を介してプリンタ３と通信を行うものである。
【００３６】
プリンタ３は、通信部３０と、印刷データ解釈部３１と、ＥＰＧ文字列取得部３２ａと、文字画像確定部３３と、文字認識画像取得部３４と、文字認識部３５と、文字認識確認部３６と、候補文字表示入力部３７と、最終印刷データ生成部３８と、印刷部３９とを有する。
【００３７】
通信部３０は、通信回線４を介してＤＶＤレコーダ２と通信を行うものである。印刷データ解釈部３１は、通信部３０により取得した印刷データの解釈を行い、印刷データにＥＰＧデータが含まれている場合にはＥＰＧ文字列取得部３２ａに対してＥＰＧ取得指示を行うものである。ＥＰＧ文字列取得部３２ａは、印刷データからＥＰＧデータを取得するものである。文字画像確定部３３は、文字認識部３５により文字認識する領域と画像のまま確定する領域とを予め切り分けるものである。文字認識画像取得部３４は、文字認識を行う画像データを印刷データ解釈部３１から取得するものである。文字認識部３５は、ＥＰＧデータを文字認識用辞書として用い、画像データから文字データを認識するものである。文字認識確認部３６は、文字認識部３５により認識した文字データに誤りがないかどうかを確認し、文字認識を確定させるものである。候補文字表示入力部３７は、文字認識部３５により認識した複数の候補文字データの表示および入力を行うものである。最終印刷データ生成部３８は、認識後の文字列および認識前の画像データから図１３に示すような最終印刷データの生成を行うものである。図１３は、最終印刷データ形式の一例を示す図示している。印刷部３９は最終印刷データから印刷イメージを生成し、印刷を行うものである。
【００３８】
図３は図１の文字認識印刷システムによる処理の流れを示す説明図である。
【００３９】
（Ｓ０）ＤＶＤレコーダ２において、図９に示すＥＰＧ番組予約表１００より番組録画予約を行う。このとき、録画先をＤＶＤに設定しておく。図９は、ＥＰＧ番組予約表１００の一例とその番組のＥＰＧデータ１０１の一例を示している。ＤＶＤへは番組データの録画データと共に、図２に示す番組ＩＤを含むＥＰＧデータが登録される。
【００４０】
（Ｓ１）ＤＶＤレコーダ２により録画されたデータをＤＶＤより再生すると、画像取得部２２によりＤＶＤドライブ２５から画像データが取得され、画像出力部２３によりテレビ１へ画像信号が出力される。
【００４１】
（Ｓ２）利用者が印刷したい場面でリモコン５を操作することにより一時停止し、印刷指示を行うことで表示画像のキャプチャを行う。ＤＶＤレコーダ２のリモコン受信部２０は、このリモコン５からの信号を受信し、各操作内容の実行指令を画像操作部２１および印刷指示部２６に行う。
【００４２】
（Ｓ３）画像操作部２１は、このリモコン受信部２０からの実行指令に基づいて文字認識領域の選択や画像として文字認識を行わない領域の指定等を行う。図３のＡ1，Ａ2は、文字認識領域を示している。なお、これらの領域を指定せずに、全体の画像で文字認識を行ってもよい。また、印刷指示部２６は、リモコン受信部２０からの実行指令に基づいて画像取得部２２によりキャプチャした画像データを取得し、印刷データ生成部２７に対して印刷データの生成指示を行う。印刷データ生成部２７は、キャプチャした画像データから図１０に示すようなＸＨＴＭＬ−Ｐｒｉｎｔ形式や図１２の印刷データを生成するとともに、この印刷データに対してＥＰＧデータ取得部２８により取得した番組ＩＤを元に、放送時間、タイトル、出演者、見所などのＥＰＧデータを印刷データに付加し、通信部２９によりプリンタ３へ送信する。
【００４３】
（Ｓ４）プリンタ３は、通信部３０により印刷データを取得すると、印刷データ解釈部３１により印刷データの解釈を行う。このとき、印刷データにＥＰＧデータが含まれている場合にはＥＰＧ文字列取得部３２ａに対してＥＰＧ取得指示を行う。ＥＰＧ文字列取得部３２ａは、印刷データからＥＰＧデータを取得する。
【００４４】
（Ｓ５）プリンタ３の文字画像確定部３３は、ステップＳ３において文字認識領域の選択や画像として文字認識を行わない領域の指定等が行われている場合には、文字認識部３５により文字認識する領域と画像のまま確定する領域とを予め切り分ける。文字認識画像取得部３４は、文字認識を行う画像データを印刷データ解釈部３１から取得し、文字認識部３５は、この取得した画像データから、例えば放送時間、タイトル、出演者、見所などのＥＰＧデータを文字認識用辞書として文字データを認識する。この認識後、文字認識確認部３６は、文字認識部３５により認識した文字データに誤りがないかどうかを利用者に確認し、文字認識を確定させる。なお、文字認識結果がおかしい場合、候補文字表示入力部３７は、文字認識部３５により認識した複数の候補文字データを表示し、利用者に正しいものを入力させる。
【００４５】
（Ｓ６）プリンタ３は、最終印刷データ生成部３８により認識後の文字列および認識前の画像データから再度図１３に示すような最終印刷データの生成を行い、印刷部３９により最終印刷データから印刷イメージを生成し、印刷を行う。
【００４６】
以上のように、本実施の形態１における文字認識印刷システムでは、放送局から提供される画像データに関連する放送時間、タイトル、出演者、見所などの文字データとしてのＥＰＧデータを文字認識用辞書として用い、画像データから文字データを認識するので、例えば人名等の誤認識が多い文字の認識率が向上する。
【００４７】
なお、本実施の形態１における文字認識印刷システムでは、プリンタ３に文字認識部３５を設けており、また、ＥＰＧデータはＤＶＤレコーダ２から取得しているので、文字認識処理によるテレビ１への負荷はない。
【００４８】
（実施の形態２）
図４は本発明の実施の形態２における文字認識印刷システムの構成を示すブロック図である。
【００４９】
図４において、本実施の形態２における文字認識印刷システムは、テレビ６と、ＤＶＤレコーダ７と、プリンタ８とから構成される。本実施の形態２における文字認識印刷システムは、テレビ６側に文字認識部３５を設けたものある。なお、実施の形態１と共通の各機能ブロックについては、図１と同一の符番を付し、その詳細な説明を省略する。
【００５０】
テレビ６は、図１で説明したリモコン受信部２０、画像操作部２１、印刷指示部２６、印刷データ生成部２７、ＥＰＧ文字列取得部３２ａ、文字認識部３５および文字認識確認部３６に加えて、画像キャプチャ部４０、画像表示部４１、画像入力部４２、文字画像確定部４４、一時保存部４５および通信部４６を有する。
【００５１】
画像キャプチャ部４０は、画像表示部４１に表示された画像をキャプチャするものである。画像表示部４１は、ＤＶＤやテレビ等の画像データ、選択された領域、文字認識後の結果を表示するものである。画像入力部４２は、ＤＶＤレコーダ７の出力信号を受けるものである。文字画像確定部４４は、文字認識結果の反映と画像部分の確定を行うものである。一時保存部４５は、印刷データ生成部２７により生成された印刷データを一時保存するものである。通信部４６は、ＥＰＧデータの取得または印刷データの出力に際し、通信回線４を介してＤＶＤレコーダ７またはプリンタ８と通信を行うものである。
【００５２】
図５は図４の文字認識印刷システムによる処理の流れを示す説明図である。
【００５３】
（Ｓ０）ＤＶＤレコーダ７において、図９に示すＥＰＧ番組予約表１００より番組録画予約を行う。このとき、録画先をＤＶＤに設定しておく。ＤＶＤへは番組データの録画データと共に、図２に示す番組ＩＤを含むＥＰＧデータが登録される。
【００５４】
（Ｓ１）ＤＶＤレコーダ７により録画されたデータをＤＶＤより再生すると、画像出力部２３によりテレビ６へ画像信号が出力される。
【００５５】
（Ｓ２）テレビ６では、このＤＶＤレコーダ７から出力された信号が画像表示部４１に表示される。そして、利用者が印刷したい場面でリモコン５を操作することにより表示画像が画像キャプチャ部４０によりキャプチャされ、画像データが取得される。また、利用者は、リモコン５を操作することにより文字認識領域の選択等を行い、印刷指示を行う。なお、この文字認識領域の選択は、領域を指定せずに全体の画像で文字認識を行ってもよい。
【００５６】
（Ｓ３）また、リモコン５によりＥＰＧデータの取得を指示すると、テレビ６は、ＥＰＧ文字列取得部３２ａによりＤＶＤレコーダ７から番組ＩＤを元に放送時間、タイトル、出演者、見所などのＥＰＧデータを取得する。
【００５７】
（Ｓ４）テレビ６は、この取得したＥＰＧデータを文字認識用辞書として文字認識部３５により画像データから文字データを認識する。これは、例えば人名などの誤認識が多い場合に有効である。認識された文字データは、文字認識確認部３６により確認され、文字画像確定部４４により確定される。
【００５８】
（Ｓ５）テレビ６は、確定した文字データに基づいて印刷データ生成部２７により図１０に示すようなＸＨＴＭＬ−Ｐｒｉｎｔ形式や図１２の印刷データを生成し、プリンタ８へ送信する。
【００５９】
（Ｓ６）プリンタ３は、送信された印刷データを通信部３０により受信し、印刷データ解釈部３１により解釈し、最終印刷データ生成部３８により最終印刷データから図１３に示すような最終印刷データを生成して印刷部３９により印刷イメージに変換し、印刷を行う。
【００６０】
以上のように、本実施の形態３における文字認識印刷システムでは、ＤＶＤレコーダ７から取得した放送時間、タイトル、出演者、見所などのＥＰＧデータを文字認識用辞書として用い、画像データから文字データを認識するので、文字の認識率が向上する。
【００６１】
なお、本実施の形態２における文字認識印刷システムでは、テレビ６に文字認識部３５を設けており、ＤＶＤレコーダ７およびプリンタ８は既存のものを用いることが可能である。
【００６２】
（実施の形態３）
図６は本発明の実施の形態３における文字認識印刷システムの構成を示すブロック図である。
【００６３】
図６において、本実施の形態３における文字認識印刷システムは、テレビ１と、プリンタ一体型ＤＶＤレコーダ９とから構成される。本実施の形態３における文字認識印刷システムは、実施の形態１におけるＤＶＤレコーダ２とプリンタ３とを一体化し、通信部２９，３０等を取り除いた構成である。なお、実施の形態１および実施の形態２と共通の各機能ブロックについては、図１および図４と同一の符番を付し、その詳細な説明を省略する。
【００６４】
テレビ１は、図４で説明した画像表示部４１および画像入力部４２を有する。
【００６５】
プリンタ一体型ＤＶＤレコーダ９は、図１および図４で説明したＤＶＤドライブ２５、ＨＤＤ２４、画像出力部２３、画像取得部２２、画像操作部２１、リモコン受信部２０、文字画像確定部４４、印刷指示部２６、ＥＰＧデータ取得部２８、文字認識部３５、文字認識確認部３６、候補文字表示入力部３７、最終印刷データ生成部３８および印刷部３９に加えて、選択範囲取得部４７を有する。
【００６６】
選択範囲取得部４７は、文字認識を行う領域部分の画像を選択するものである。
【００６７】
本実施の形態３における文字認識印刷システムでは、プリンタ一体型ＤＶＤレコーダ９から出力された信号がテレビ１の画像表示部４１に表示され、利用者がリモコン５を操作することにより文字認識領域の選択を行うと、この選択領域部分の画像が選択範囲取得部４７により選択される。そして、文字画像確定部４４により選択範囲の文字画像が確定され、印刷指示部２６により印刷指示が行われると、ＥＰＧデータ取得部２８により放送時間、タイトル、出演者、見所などのＥＰＧデータが取得され、文字認識部３５によりこの取得されたＥＰＧデータを文字認識用辞書として用い、画像データから文字データが認識され、印刷部３９により印刷される。
【００６８】
このように、本実施の形態３における文字認識印刷システムでは、プリンタ一体型ＤＶＤレコーダ９単体で放送時間、タイトル、出演者、見所などのＥＰＧデータを文字認識用辞書として用い、画像データから文字データを高い認識率で認識することが可能である。また、テレビ１は既存のものを用いることが可能である。
【００６９】
（実施の形態４）
図７は本発明の実施の形態４における文字認識印刷システムの構成を示すブロック図である。
【００７０】
図７において、本実施の形態４における文字認識印刷システムは、テレビ１０と、プリンタ１１とから構成される。本実施の形態４における文字認識印刷システムは、プリンタ１１側に文字認識部３５を設けたものである。なお、実施の形態４および実施の形態２と共通の各機能ブロックについては、図１および図４と同一の符番を付し、その詳細な説明を省略する。
【００７１】
テレビ１０は、図４で説明した画像表示部４１、画像操作部２１、画像キャプチャ部４０、リモコン受信部２０、印刷指示部２６、印刷データ生成部２７および通信部４６に加えて、放送受信部４８および映像・文字データ取得部４９を有する。なお、放送波送信アンテナ１２は、データ放送を送信するものである。
【００７２】
放送受信部４８は、放送波送信アンテナ１２から送信されるデータ放送を受信するものである。映像・文字データ取得部４９は、放送受信部４８により受信したデータ放送から文字データおよび画像データを取得するものである。
【００７３】
プリンタ１１は、図１で説明した通信部３０、印刷データ解釈部３１、文字画像確定部３３、文字認識画像取得部３４、文字認識部３５、文字認識確認部３６、候補文字表示入力部３７、最終印刷データ生成部３８および印刷部３９を有するとともに、ＥＰＧ文字列取得部３２ａに代えてデータ放送文字列取得部３２ｂを有する。
【００７４】
データ放送文字列取得部３２ｂは、印刷データからデータ放送の文字データを取得するものである。
【００７５】
本実施の形態４における文字認識印刷システムでは、テレビ１０が放送波送信アンテナ１２から送信されるデータ放送を放送受信部４８により受信して画像表示部４１へ表示する。利用者が印刷したい場面でリモコン５を操作することにより表示画面が画像キャプチャ部４０によりキャプチャされ、画像データが取得される。また、利用者が、リモコン５を操作することにより文字認識領域の選択等を行い、印刷指示を行うと、映像・文字データ取得部４９により取得された文字データとともに印刷データがプリンタ１１へ送信される。
【００７６】
プリンタ１１は、通信部３０により取得した印刷データを印刷データ解釈部３１により解釈するとともに、通信部３０により取得したデータ放送の文字データをデータ放送文字列取得部３２ｂにより取得する。そして、文字認識部３５は、データ放送の文字データを文字認識用辞書として用い、画像データから文字データを認識する。プリンタ１１は、最終印刷データ生成部３８により認識後の文字列から図１３に示すような最終印刷データの生成を行い、印刷部３９により最終印刷データから印刷イメージに変換し、印刷を行う。
【００７７】
このように、本実施の形態４における文字認識印刷システムでは、プリンタ１１に文字認識部３５を設けているので、文字認識処理によるテレビ１０への負荷を軽減することができる。
【００７８】
（実施の形態５）
図８は本発明の実施の形態５における文字認識印刷システムの構成を示すブロック図である。
【００７９】
図８において、本実施の形態５における文字認識印刷システムは、テレビ１３と、プリンタ８とから構成される。本実施の形態５における文字認識印刷システムは、テレビ１３側に文字認識部３５を設けたものである。なお、実施の形態および実施の形態４と共通の各機能ブロックについては、図４および図７と同一の符番を付し、その詳細な説明を省略する。
【００８０】
本実施の形態５における文字認識印刷システムでは、実施の形態４における文字認識印刷システムにおいて画像データおよび文字データがデータ放送により提供されるものを使用する。本実施の形態５における文字認識印刷システムでは、テレビ１３に文字認識部３５を設けており、プリンタ８は既存のものを用いることができる。
【産業上の利用可能性】
【００８１】
本発明は、放送局から無線や有線等により提供される画像データを再生するテレビジョン装置や、画像データが記録された記録媒体から画像データを読み出して再生する画像再生装置等において、画像データから文字データを認識し、印刷する文字認識印刷システムおよびこれに用いられる印刷装置、テレビジョン装置並びに画像再生装置として有用である。特に、本発明は、画像データから文字データを認識する際、画像データに関連する文字データを取得し、この取得した文字データを文字認識用辞書とすることにより、文字の認識率を向上させたものとして、文字入力の簡略化を図るものとして好適である。
【図面の簡単な説明】
【００８２】
【図１】本発明の実施の形態３における文字認識印刷システムの構成を示すブロック図
【図２】ＥＰＧデータの例を示す図
【図３】図１の文字認識印刷システムによる処理の流れを示す説明図
【図４】本発明の第２の実施の形態における文字認識印刷システムの構成を示すブロック図
【図５】図４の文字認識印刷システムによる処理の流れを示す説明図
【図６】本発明の第３の実施の形態における文字認識印刷システムの構成を示すブロック図
【図７】本発明の第４の実施の形態における文字認識印刷システムの構成を示すブロック図
【図８】本発明の第５の実施の形態における文字認識印刷システムの構成を示すブロック図
【図９】ＥＰＧ番組予約表の一例とその番組のＥＰＧデータの一例を示す図
【図１０】印刷データ形式の一例としてＸＨＴＭＬ−Ｐｒｉｎｔ形式で記述された印刷データを示す図
【図１１】印刷データ形式の一例としてＸＨＴＭＬ−Ｐｒｉｎｔ形式で記述された印刷データにＥＰＧデータの番組ＩＤが記述された例を示す図
【図１２】印刷データ形式の一例を示す図
【図１３】最終印刷データ形式の一例を示す図
【符号の説明】
【００８３】
１，６，１０，１３    テレビ
２，７    ＤＶＤレコーダ
３，８，１１    プリンタ
４    通信回線
５    リモコン
９    プリンタ一体型ＤＶＤレコーダ
２０    リモコン受信部
２１    画像操作部
２２    画像取得部
２３    画像出力部
２４    ＨＤＤ
２５    ＤＶＤドライブ
２６    印刷指示部
２７    印刷データ生成部
２８    ＥＰＧデータ取得部
２９    通信部
３０    通信部
３１    印刷データ解釈部
３２ａ    ＥＰＧ文字列取得部
３２ｂ    データ放送文字列取得部
３３    文字画像確定部
３４    文字認識画像取得部
３５    文字認識部
３６    文字認識確認部
３７    候補文字表示入力部
３８    最終印刷データ生成部
３９    印刷部
４０    画像キャプチャ部
４１    画像表示部
４２    画像入力部
４４    文字画像確定部
４５    一時保存部
４６    通信部
４７    選択範囲取得部
４８    放送受信部
４９    映像・文字データ取得部
【図１】
2007122559.tif 000003
【図２】
2007122559.tif 000004
【図３】
2007122559.tif 000005
【図４】
2007122559.tif 000006
【図５】
2007122559.tif 000007
【図６】
2007122559.tif 000008
【図７】
2007122559.tif 000009
【図８】
2007122559.tif 000010
【図９】
2007122559.tif 000011
【図１０】
2007122559.tif 000012
【図１１】
2007122559.tif 000013
【図１２】
2007122559.tif 000014
【図１３】
2007122559.tif 000015